(57)【要約】      （修正有）【課題】分電盤や配電盤などの盤や電線が収容されたラックの外に取り出された電線をさらに室外に取り出すために床面や壁面に設けられた開口における通気を容易かつ確実に抑制可能な防気カバーを提供する。【解決手段】防気カバー１０は、カバーシート１２を筒状とすることにより、電線取出口４０と略同一の断面積を有する電線収容空間２０を形成する。防気カバー１０は、固定具１４によりカバーシート１２を電線取出口４０に取り付けると共に、カバーシート１２の下縁部側にの開口領域を開口絞り手段１８を用いて引き絞ることにより、電線取出口４０における通気を防止する。【選択図】図３
0003158908.tif 000002
【実用新案登録請求の範囲】
【請求項１】
電線を室外に取り出すために形成された電線取出口における通気を防止するための防気カバーであって、
屈曲させることにより、前記電線取出口の開口領域に相当する大きさの断面積を有し、前記電線を挿通可能な筒状の電線収容空間を形成可能なカバーシートと、
前記電線収容空間の一端側において前記カバーシートを他部材に固定可能な固定具と、
前記電線収容空間の他端側において前記電線収容空間の開口領域を絞ることが可能な開口絞り手段と、
を備えており、
前記固定具により前記他部材に対して前記カバーシートを固定することにより、前記電線収容空間が前記電線取出口内に形成された状態、あるいは前記電線収容空間と電線取出口とが連通した状態になり、室外において前記電線収容空間の開口領域を開口絞り手段によって絞ることが可能となることを特徴とする防気カバー。
【請求項２】
前記電線取出口の開口周縁部に対し、前記カバーシートを接触させた状態として設置可能であることを特徴とする請求項１に記載の防気カバー。
【請求項３】
前記電線取出口を介して室外に前記カバーシートを取り出した状態として設置可能であることを特徴とする請求項１又は２に記載の防気カバー。
【請求項４】
前記他部材が、室内外を隔てる壁面、床面、あるいは天井面のいずれかであり、
前記他部材に、前記電線取出口が形成されていることを特徴とする請求項１〜３のいずれかに記載の防気カバー。
【請求項５】
前記他部材が、配線用の盤であることを特徴とする請求項１〜３のいずれかに記載の防気カバー。
【請求項６】
前記開口絞り手段が、
紐体と、
前記電線収容空間の周方向に前記紐体を挿通可能な紐挿通路と、
を備えたものであり、
前記紐挿通路の両端から取り出された紐体の両端部を引っ張ることにより、前記電線収容空間の開口領域を引き絞ることが可能なものであることを特徴とする請求項１〜５のいずれかに記載の防気カバー。
【請求項７】
固定具が、面ファスナによって構成されていることを特徴とする請求項１〜６のいずれかに記載の防気カバー。
【考案の詳細な説明】
【技術分野】
【０００１】
本考案は、分電盤、配電盤などの配線用の盤や電線が収容されたラックから取り出された電線をさらに室外に取り出すために設けられた開口部分における通気による空調効率の低下などの弊害が発生するのを防止するための防気カバーに関する。
【背景技術】
【０００２】
従来、下記特許文献１に開示されているような配線用の盤や電線が収容されたラックから取り出された電線をさらに室外に取り出すために、盤やラックの直下や壁面などに電線を取り出すための開口が設けられている。
【０００３】
上述したような開口を設けた場合、この開口を介して通気することにより空調効率が低下する等、様々な弊害が生じる可能性がある。そこで、従来技術においては、この開口部分を板体やパテなどによって封鎖する方策が採られている。
【先行技術文献】
【特許文献】
【０００４】
【特許文献１】特開２００９−２４００５２号公報
【考案の概要】
【考案が解決しようとする課題】
【０００５】
上述した従来技術のように電線取り出し用として床面や壁面に設けられた開口を板体やパテなどによって封鎖する場合は、例えば配線を交わすように板体の形状を調整する等せねばならず、設置に手間を要するという問題があった。
【０００６】
そこで、本考案は、分電盤、配電盤などの盤や電線が収容されたラックの外に取り出された電線をさらに室外に取り出すために床面や壁面に設けられた開口における通気を容易かつ確実に抑制可能な防気カバーの提供を目的とした。
【課題を解決するための手段】
【０００７】
上述した課題を解決すべく提供される本考案は、電線を室外に取り出すために形成された電線取出口における通気を防止するための防気カバーであって、屈曲させることにより、前記電線取出口の開口領域に相当する大きさの断面積を有し、前記電線を挿通可能な筒状の電線収容空間を形成可能なカバーシートと、前記電線収容空間の一端側において前記カバーシートを他部材に固定可能な固定具と、前記電線収容空間の他端側において前記電線収容空間の開口領域を絞ることが可能な開口絞り手段と、を備えており、前記固定具により前記他部材に対して前記カバーシートを固定することにより、前記電線収容空間が前記電線取出口内に形成された状態、あるいは前記電線収容空間と電線取出口とが連通した状態になり、室外において前記電線収容空間の開口領域を開口絞り手段によって絞ることが可能となることを特徴とする防気カバーである。
【０００８】
本考案の防気カバーは、前記電線取出口の開口周縁部に対し、前記カバーシートを接触させた状態として設置可能なものであることが望ましい。また、本考案の防気カバーは、前記電線取出口を介して室外に前記カバーシートを取り出した状態として設置可能なものであることが望ましい。
【０００９】
本考案の防気カバーは、前記他部材が、室内外を隔てる壁面、床面、あるいは天井面のいずれかであり、前記他部材に、前記電線取出口が形成されている場合に好適に使用できる。また、本考案の防気カバーは、前記他部材が、配線用の盤や電線が収容されたラックである場合にも好適に使用できる。
【００１０】
本考案の防気カバーに採用される前記開口絞り手段は、前記開口絞り手段が、紐体と、前記電線収容空間の周方向に前記紐体を挿通可能な紐挿通路と、備えたものであり、前記紐挿通路の両端から取り出された紐体の両端部を引っ張ることにより、前記電線収容空間の開口領域を引き絞ることが可能なものであることが好ましい。また、本考案の防気カバーは、固定具が、面ファスナによって構成されていることが好ましい。
【考案の効果】
【００１１】
本考案の防気カバーは、カバーシートを屈曲させることにより電線取出口の開口領域の大きさに相当する断面積を有する電線収容空間を形成することができる。また、固定具によって他部材に対してカバーシートを固定することにより、電線収容空間が電線取出口内に形成された状態や、電線収容空間と電線取出口とが連通した状態とし、電線取出口を介して直接的に通気が発生するのを防止することができる。さらに、開口絞り手段によって電線収容空間の端部に形成された開口領域を絞ることにより、電線収容空間を介して通気が生じるのを防止することができる。したがって、本考案の防気カバーによれば、電線を室外に取り出すために設けられた電線取出口等を介した通気を容易かつ確実に抑制することができ、空調効率の低下などの弊害が発生するのを防止することができる。
【００１２】
本考案の防気カバーは、カバーシートを折り曲げる等して自由に変形させることができる。よって、配線用の盤や電線が収容されたラックが既に設置されている場合であっても、この盤やラックから取り出された電線を包囲するようにカバーシートを配置することにより設置することができる。また、カバーシートを自由に屈曲させることができるため、電線収容空間の形状を電線取出口に合うように容易に調整することができる。したがって、本考案の防気カバーは、既設の盤やラック、電線が存在する状況下においても容易に設置することができる。
【００１３】
ここで一般的に、工場などでは、大容量の電気が使用されるため、電線から放出される熱エネルギーも相当大きなものになる可能性がある。そのため、上述したように防気カバーを装着する場合において、電線から放出された熱が、防気カバーの内側に形成された電線収容空間内にこもってしまうと、この熱の影響による空調効率の低下等の直接的な不具合に加え、電線の断線やカバーシートなどの劣化のような副次的な不具合が生じる可能性もある。したがって、防気カバーを装着する場合は、電線取出口を介して隔てられる室内外の通気を抑制するとともに、電線への通電により過剰に熱が発生した場合にこれを電線収容空間の外側に排出させることが可能なものであることが望ましい。
【００１４】
かかる知見に基づき、本考案の防気カバーは、電線取出口を介して室外に前記カバーシートを取り出した状態として設置可能とされている。これにより、通電に伴って電線から発生した熱が電線収容空間内にこもるのを防止し、この熱の影響による空調効率の低下等の直接的な不具合に加え、電線の断線やカバーシートなどの劣化といった副次的な不具合についても防止することができる。
【００１５】
他部材が室内外を隔てる壁面、床面、あるいは天井面のいずれかであり、これらの面に電線取出口が形成されている場合についても、電線収容空間が電線取出口内に形成された状態や、電線収容空間と電線取出口とが連通した状態とするとともに、電線収容空間の端部の開口領域を開口絞り手段によって絞ることにより、電線を室外に取り出すために設けられた電線取出口等を介して通気が生じるのを抑制し、空調効率の低下などの弊害が発生するのを防止することができる。また、他部材が配線用の盤や電線が収容されたラックによって形成されている場合についても同様に、電線取出口等を介して通気が生じることにより空調効率の低下等の弊害が発生するのを防止することができる。また、他部材が壁面や、床面、天井面、配線用の盤やラックなどによって構成されるものであったとしても、本考案の防気カバーは、容易に設置することができる。
【００１６】
上述したように、本考案の防気カバーでは、電線から放出された熱が電線収容空間内にこもることによる弊害、具体的には電線から放出される熱の影響による空調効率の低下等の直接的な弊害や、電線の断線、カバーシートなどの劣化等の副次的な弊害を防止することが望ましい。かかる弊害を防止するためには、本考案の防気カバーを電線への通電により過剰に熱が発生した場合にこれを電線収容空間の外側に排出させることが可能な構成とすることが望ましい。
【００１７】
そこで、かかる知見に基づき、本考案の防気カバーは、前記カバーシートを巻き回すことにより形成される電線収容空間の開口領域を絞ることが可能な開口絞り手段を具備したものとされている。このような構成とすることにより、電線同士の間などに形成された僅かな隙間を介して通電により発生した熱を電線収容空間の外側に向けて緩やかに漏出させることができる。したがって、本考案の防気カバーによれば、通電により発生した熱による空調効率の低下や、電線の断線、カバーシートの劣化等の様々な不具合を防止することができる。
【００１８】
また、開口絞り手段を、紐体と電線収容空間の周方向に紐体を挿通可能な紐挿通路とを備えたものとすれば、紐挿通路の両端から取り出された紐体の両端部を引っ張ることによって電線収容空間の開口領域を引き絞ることが可能となり、防気カバーの設置をより一層容易なものとすることができる。
【００１９】
上述したように、本考案の防気カバーにおいて採用されている固定具を面ファスナによって構成した場合は、分電盤、配電盤などの盤や電線が収容されたラック、床面、壁面、天井面などの他部材に対して防気カバーを容易に着脱可能とすることができる。
【図面の簡単な説明】
【００２０】
【図１】本発明の一実施形態に係る防気カバーの展開図である。
【図２】図１に示す防気カバーを床面に設けられた電線取出口に取り付ける作業の中途段階を示す斜視図である。
【図３】図１に示す防気カバーを床面に設けられた電線取出口に取り付けた状態を示す斜視図である。
【図４】図１に示す防気カバーの下端側の開口を開口絞り手段によって絞った状態を示す斜視図である。
【図５】図１に示す防気カバーを床面に設けられた電線取出口に取り付けた状態を示す断面図である。
【図６】図１に示す防気カバーの盤に取り付ける際の取り付け作業の中途段階を示す斜視図である。
【図７】図１に示す防気カバーを盤に取り付けた状態を示す斜視図である。
【図８】図１に示す防気カバーを盤に取り付けた状態を示す断面図である。
【図９】（ａ），（ｂ）はそれぞれ防気カバーの変形例を示す斜視図である。
【考案を実施するための形態】
【００２１】
続いて、本考案の一実施形態である防気カバー１０について、図面を参照しつつ詳細に説明する。図１〜図５に示すように、防気カバー１０は、カバーシート１２や、固定具１４と、係合具１６、開口絞り手段１８を備えた構成とされている。カバーシート１２は、例えば難燃性のシートや耐火性のシートのように耐熱性を有する樹脂製のシートによって構成されている。図１に示すように、カバーシート１２は略矩形状とされており、自由に折り曲げたり屈曲させたりすることが可能である。図２や図３に示すように、カバーシート１２は、幅（横）方向両端部（側縁部１２ａ，１２ｂ）が重なり合うように折り曲げたり屈曲させることにより筒状とし、内側に電線収容空間２０を形成することができる。
【００２２】
カバーシート１２の上縁部１２ｃには、切目１２ｆが３カ所に設けられている。切目１２ｆは、上下方向に向けて真っ直ぐに伸びるように形成されている。そのため、図２や図３に示すように、カバーシート１２は、上縁部１２ｃを電線収容空間２０の外側に向けて折り返すことができる。また、カバーシート１２は、切目１２ｆの延長線上に上下方向に伸びる折り目１２ｇが形成されたものであり、折り目１２ｇに沿って容易に折り曲げ可能とされている。また、カバーシート１２の下縁部１２ｄには、幅方向に所定の間隔毎に紐挿通孔１２ｅが形成されている。紐挿通孔１２ｅは、後に詳述する開口絞り手段１８の紐挿通路１８ａを形成するものである。
【００２３】
固定具１４は、従来公知の面ファスナによって構成されており、雄片１４ａと雌片１４ｂとに分離することができる。固定具１４の雄片１４ａ及び雌片１４ｂのうちのいずれか一方（本実施形態では、雄片１４ａ）は、カバーシート１２の表面１２ｘ側において、上縁部１２ｃの略全体に縫製により固定されている。また、雌片１４ｂは、いわゆる両面テープなどにより本実施形態の防気カバー１０の取り付け対象である他部材、具体的には床面や壁面、天井面の他、分電盤や配電盤などのような盤や電線が収容されたラックなど、配線用に設けられたものなどに適宜取り付け可能とされている。
【００２４】
係合具１６は、カバーシート１２の側縁部１２ａと側縁部１２ｂとを繋ぎ、カバーシート１２を筒状に形成するためのものである。係合具１６は、例えば従来公知のホックやファスナー、面ファスナーなどによって構成することが可能である。本実施形態では、係合具１６としてホックが採用されており、係合雄片１６ａ及び係合雌片１６ｂの組み合わせによって構成され、両者を係合により一体化することが可能なものとされている。係合雄片１６ａは上述したカバーシート１２の側縁部１２ａ，１２ｂのいずれか一方側に設けられており、係合雌片１６ｂは他方側に設けられている。
【００２５】
開口絞り手段１８は、紐挿通路１８ａと、紐体１８ｂと、コードストッパー１８ｃとを備えている。紐挿通路１８ａは、上述したようにカバーシート１２の下縁部１２ｄに設けられた紐挿通孔１２ｅによって形成されており、各紐挿通孔１２ｂに順次紐体１８ｂを通し、カバーシート１２の表面１２ｘと裏面１２ｙとの間をジグザグに縫うように挿通させることにより、電線収容空間２０の外周を取り囲むことができる。紐体１８ｂは、両端部がコードストッパー１８ｃに設けられた２つの孔１８ｄ，１８ｄにそれぞれ挿通されている。そのため、コードストッパー１８ｃをゆるめた状態において、紐体１８ｂの両端部を引っ張ることにより、カバーシート１２によって形成される電線収容空間２０の下端側の開口領域を引き絞ることができる。
【００２６】
上述した防気カバー１０は、分電盤や配電盤などの盤３０や電線が収容されたラックから取り出された既設の電線３２が存在する場合であっても、この電線３２を室外に取り出すために設けられている電線取出口４０に対して取り付けることができる。電線取出口４０が盤３０の下方に位置する床面Ｆに形成されている場合を例に挙げてさらに具体的に説明すると、図２に示すように、先ず固定具１４を構成する部材のうち、カバーシート１２側に固定されていないもの（本実施形態では雌片１４ｂ）が電線取出口４０の開口周縁部４２に沿って両面テープなどによって取り付けられる。
【００２７】
その後、図２に示すようにカバーシート１２を筒状に湾曲（屈曲）させるとともに係合具１６を用いてカバーシート１２の両側縁部１２ａ，１２ｂを一体化することにより、電線３２を電線収容空間２０内に挿通された状態とする。この状態において、図２に矢印で示すようにカバーシート１２の下縁部１２ｄ側の部分を電線取出口４０内に差し込み、室外に取り出すとともに、上縁部１２ｃを外側に向けて折り返し、床面４０に予め取り付けられている固定具１４の雌片１４ｂに対して各雄片１４ａを一体化する。これにより、図３や図５に示すように、カバーシート１２が床面Ｆに固定された状態になる。また、カバーシート１２と電線取出口４０の開口周縁部４２との間に隙間が形成されることなく、防気カバー１０が取り付けられた状態になる。
【００２８】
また、図４に示すように、紐挿通路１８ａの両端から取り出された紐体１８ｂの両端部を引っ張ると、電線収容空間２０の下端側の開口領域が引き絞られた状態になる。これにより、防気カバー１０の取り付けが完了する。
【００２９】
上述した防気カバー１０は、電線収容空間２０の一端側（上縁部１２ｃ側）において固定具１４によって床面Ｆに固定し、床面Ｆに形成された電線取出口４０を介して電線３２とともにカバーシート１２の他端側（下縁部１２ｄ側）を室外に取り出すとともに、室外において下縁部１２ｄ側を開口絞り手段１８によって引き絞ることにより、電線収容空間２０を介して室内外の空気が出入りするのを防止することができる。また、防気カバー１０は、カバーシート１２の表面と電線取出口４０の開口周縁部４２との間に隙間ができないようにカバーシート１２を取り付けることができる。したがって、防気カバー１０によれば、電線３２の取り出し用に形成された電線取出口４０における通気を容易かつ確実に抑制でき、空調効率の低下などの弊害の発生を防止することができる。
【００３０】
また、上述したように、カバーシート１２がシート状のものによって形成されているため、防気カバー１０は折り曲げる等して自由に変形させることができる。よって、上述した既設の盤３０のように、電線３２の位置等を変更しにくい状態であっても、電線３２を取り囲むようにカバーシート１２を配置する作業や、盤３０に対してカバーシート１２を取り付ける作業等を容易かつ迅速に行うことができる。
【００３１】
上述したように、防気カバー１０は、カバーシート１２を巻き回すことにより形成される電線収容空間２０の開口領域を開口絞り手段１８によって引き絞ることができ、電線３２への通電によって発生した熱が急激に外部に漏洩するのを防止したり、空調効率が低下するのを防止することができる。また、電線収容空間２０内の雰囲気温度が高温になると、電線収容空間２０内に存在する高温の空気が、開口絞り手段１８によって電線収容空間２０の開口領域を引き絞った際に電線３２同士の間などに形成されたわずかな隙間を介して緩やかに漏出する。さらに、防気カバー１０は、カバーシート１２の大部分が室外に取り出された状態で設置されるため、仮に電線収容空間２０内において熱が発生したとしても、外気に晒されることによって過剰に高温にならない。したがって、防気カバー１０を取り付けた場合であっても、電線収容空間２０内が過剰に高温にならず、室温の上昇や空調効率の低下といったような直接的な弊害に加え、通電により発生した熱の影響により電線３２が断線したり、カバーシート１２や固定具１４、雌片１４ｂの接着用の両面テープなどが劣化したりするといった副次的な弊害が発生するのを防止することができる。
【００３２】
本実施形態のカバーシート１２は、電線取出口４０の開口形状が略矩形であることを考慮し、カバーシート１２の幅方向に切目１２ｆや折り目１２ｇを３カ所に設け、角筒状に折り曲げた状態で取り付け可能なものとする例を例示したが、本考案はこれに限定されるものではなく、例えば円筒形など適宜の形状に湾曲あるいは屈曲させた状態で取り付けるものとすることが可能である。なお、カバーシート１２と電線取出口４０の開口周縁部４２との間に隙間が形成されるのを防止すべく、電線取出口４０の形状や大きさに合わせてカバーシート１２を適切な形状、大きさに変形させることが望ましく、このような形状や大きさに変形しやすいよう、切り目１２ｆや折り目１２ｇの位置等を適宜調整することが望ましい。
【００３３】
また、本実施形態では、カバーシート１２の上縁部１２ｃにおいて表面１２ｘ側に固定具１４の雄片１４ａを取り付け、上縁部１２ｃを外側に折り返した状態においてカバーシート１２を盤３０側に固定する構成を例示したが、本考案はこれに限定される訳ではなく、適宜の固定形態で固定可能とすることが可能である。
【００３４】
本実施形態では、防気カバー１０を床面Ｆに取り付けた構成を例示したが、本発明はこれに限定されるものではなく、壁面や天井面などの部屋を区画する面や、その他の部材に取り付けることも可能である。また、防気カバー１０は、盤３０や電線が収容されたラックなどに対して取り付けることも可能である。
【００３５】
具体的には、図６に示すように盤３０の底面３０ａなど、電線３２を盤３０から取り出すための開口３０ｂを有する面からカバーシート１２の上縁部１２ｃを差し込んだ後、図７に示すように上縁部１２ｃを折り返すことにより、上縁部１２に固定されている雄片１４ａを、盤３０の開口縁部３０ｃに予め取り付けておいた雌片１４ｂと一体化させ、取り付けることができる。
【００３６】
盤３０に対してカバーシート１２を固定する構成とする場合、カバーシート１２を、図８に示すように盤３０の底面３０ａから床面Ｆまでの高さよりも長いものとし、床面Ｆに形成された電線取出口４０を介して室外に取り出されるようにすることが好ましい。このような構成とすることにより、電線取出口４０における通気を阻止するとともに、電線３２への通電により発生した熱が電線収容空間２０から室内に漏洩するのを最小限に抑制でき、より一層室温の上昇や空調効率の低下を防止することができる。また、盤３０に対してカバーシート１２を取り付ける場合についても、電線取出口４０の開口周縁部３２に表面が接触するようにカバーシート１２を配置することにより、電線取出口４０における通風をより一層確実に防止することができる。
【００３７】
また、上述した実施形態と同様にカバーシート１２の上縁部１２ｃにおいて、表面１２ｘ側に固定具１４の雄片１４ａを取り付けた場合、図９（ａ）に示すように電線収容空間２０の内側に向けて上縁部１２ｃを折り、この状態において雄片１４ａを床面Ｆや盤３０などの他部材側に予め取り付けられている雌片１４ｂと一体化することにより、カバーシート１２を盤３０に取り付けることとしてもよい。さらに、図９（ｂ）に示すようにカバーシート１２の上縁部１２ｃにおいて表面１２ｘ側でなく、裏面１２ｙ側に固定具１４の雄片１４ａを取り付けた構成とした場合についても、床面Ｆや盤３０、電線が収容されたラックなどの他部材側に雌片１４ｂを取り付け、この雌片１４ｂと雄片１４ａとを一体化することによりカバーシート１２を取り付けることが可能となる。
【００３８】
本実施形態では、固定具１４として面ファスナを採用した例を例示したが、本考案はこれに限定されるものではなく、固定具１４はホックやネジによって構成されていてもよい。また、本実施形態では、防気カバー１０の脱着を考慮して面ファスナなどを固定具１４として採用した例を例示したが、本考案はこれに限定されるものではなく、例えば両面テープなどを固定具１４として使用してもよい。
【００３９】
また、開口絞り手段１８の紐挿通路１８ａは、カバーシート１２に設けられた複数の紐挿通孔１２ｅによって構成されたものであったが、本考案はこれに限定されるものではなく、例えばカバーシート１２の表面１２ｘや裏面１２ｙに両端が開口した袋状のものを形成し、これを紐挿通路１８ａの代用としてもよい。また、開口絞り手段１８は、コードストッパー１８ｃを備え、これを用いて紐体１８ｂを引き絞り固定することが可能なものであったが、本考案はこれに限定されるものではなく、コードストッパー１８ｃを備えず、紐体１８ｂの両端部を引き絞って括ったり縛ったりする構成とすることも可能である。
【符号の説明】
【００４０】
１０      防気カバー
１２      カバーシート
１４      固定具
１８      開口絞り手段
１８ａ    紐挿通路
１８ｂ    紐体
２０      電線収容空間
３０      盤
３２      電線
【図１】
0003158908.tif 000003
【図２】
0003158908.tif 000004
【図３】
0003158908.tif 000005
【図４】
0003158908.tif 000006
【図５】
0003158908.tif 000007
【図６】
0003158908.tif 000008
【図７】
0003158908.tif 000009
【図８】
0003158908.tif 000010
【図９】
0003158908.tif 000011